(57)【要約】【課題】人の遺体はその内蔵部分から腐敗が進行する。従来、棺中の遺体の腐敗の進行を防止するための様々な冷却手段が提供されてきたが、内蔵部分を完全に冷却するという冷却手段は存在しなかった。従って、内蔵部分を完全に冷却する冷却手段の開発を課題とした。【解決手段】冷却機２から冷媒送出用管３を通じて冷媒を冷却板１の本体１１内に循環させ、軟質材製の膜体１２を遺体Ｓに密着させて遺体の内蔵部分を完全に冷却することにより、遺体Ｓの腐敗の進行を防止する。冷媒は冷媒回収用管４により冷却機２に回収され再冷却される。【選択図】        図１
2005177390.tif 000002
【特許請求の範囲】
【請求項１】
棺中の人の遺体を冷却する冷却板と、該冷却板に冷媒を往還させるための冷媒送出用管及び冷媒回収用管と、該冷媒送出用管及び該冷媒回収用管に接続された冷却機とから構成される遺体用冷却装置において、
上記冷却板が、本体が冷媒を往還させる冷却管を内蔵し、該本体が人体の形状に合わせて湾曲され、該本体が棺中の人の遺体の胸部から腹部までを掩覆し、該本体の上面が保温材で被覆されており、かつ該本体の周囲には人の遺体の喉部、脇腹、性器部分を含む下腹部に密着するように軟質材からなる膜体が連設されていて、上記本体と上記膜体により人の遺体の喉部から下の内臓部分をすべて掩覆できるように構成されており、
上記冷却板の冷却管に接続された冷媒送出用管が、人の遺体を収容する棺の本体と蓋部の間に着脱自在に設けられた枠体に穿設された孔に挿通されていて、該孔の両側に弁を有し、どちらか一方の弁あるいは両方の弁に着脱自在に構成されており、
上記冷却板の冷却管に接続された冷媒回収用管が、上記枠体に穿設された孔に挿通されていて、該孔の両側に弁を有し、どちらか一方の弁あるいは両方の弁に着脱自在に構成されており、
上記冷媒送出用管及び上記冷媒回収用管が接続される冷却機が、温度調節機構を有している、
ことを特徴とする遺体用内蔵冷却装置。
【発明の詳細な説明】
【技術分野】
【０００１】
本発明は、棺に収容された人の遺体のうち、とくにその喉部より下の内蔵部分を冷却するための遺体用内蔵冷却装置に関するものであり、さらに詳しくは、棺中の人の遺体を冷却する冷却板と、該冷却板に冷媒を往還させるための冷媒送出用管及び冷媒回収用管と、該冷媒送出用管及び該冷媒回収用管に接続された冷却機とから構成される遺体用冷却装置において、上記冷却板が、本体が冷媒を往還させる冷却管を内蔵し、該本体が人体の形状に合わせて湾曲され、該本体が棺中の人の遺体の胸部から腹部までを掩覆し、該本体の上面が保温材で被覆されており、かつ該本体の周囲には人の遺体の喉部、脇腹、性器部分を含む下腹部に密着するように軟質材からなる膜体が連設されていて、上記本体と上記膜体により人の遺体の喉部から下の内臓部分をすべて掩覆できるように構成されており、上記冷却板の冷却管に接続された冷媒送出用管が、人の遺体を収容する棺の本体と蓋部の間に着脱自在に設けられた枠体に穿設された孔に挿通されていて、該孔の両側に弁を有し、どちらか一方の弁あるいは両方の弁に着脱自在に構成されており、上記冷却板の冷却管に接続された冷媒回収用管が、上記枠体に穿設された孔に挿通されていて、該孔の両側に弁を有し、どちらか一方の弁あるいは両方の弁に着脱自在に構成されており、上記冷媒送出用管及び上記冷媒回収用管が接続される冷却機が、温度調節機構を有していることを特徴とする遺体用内蔵冷却装置に関するものである。
【背景技術】
【０００２】
従来より、人が死ぬとその遺体は棺に収容され、通夜から葬式、出棺、そして火葬場に至るまで、棺中に収容された状態で、火葬場において棺ごと焼却されるのが通常である。したがって、人の遺体は棺中に収容されたままで、少なくとも２〜３日、長い場合には１週間近くも保存されることになり、気温の低い冬季は良いが、気温の高い夏季には遺体の腐敗が進行して腐臭を発し、その腐臭の処理が大きな問題となっていた。
【０００３】
とくに、最近のように冷暖房が発達すると、冬季においても暖房を入れた部屋においては腐敗の進行が速やかで、この腐臭の問題はすでに年間を通して解決を要する問題となってきている。そのため、少し以前には棺中にドライアイスを入れておくといった工夫がなされ、その方法が一般化した。しかし、近年、地球温暖化の問題が取り沙汰される傾向とともに温暖化の原因の一つと目される二酸化炭素を大量に放散するドライアイスの使用が問題視されるようになり、棺中の遺体の保存においてもドライアイスの使用が反省される時期に入っているといって良い。
【０００４】
このような情勢から、ドライアイスを使用せずに棺中の遺体の保存する方法が種々考えられており、保冷剤の使用や棺の中に冷風を送る機構などが工夫されている。しかしながら、保冷剤を使用する場合には、かなりの頻度で保冷剤を交換しなければならないという問題がある。また、棺の中に冷風を送る方法では冷却効率があまり良くなく、かつ棺中に空気の流れが発生するので棺から棺中の空気が外部に漏洩しやすくなるという問題があり、衛生的に良い方法とはいえない。
【０００５】
そこで、外部の冷却機から冷媒用管を用いて棺中の冷却板に冷媒や冷却液を送り、冷却板を冷却することによって遺体を冷却保存する方法が考えられた。この方法において、冷却板は棺の蓋や遺体の周囲等、棺中の様々な場所に設置されるが、そのうちの一つが、下記特許文献１（実公昭６３−２０８２９）に開示されている「棺用冷却シート」である。すなわち、特許文献１に記載の「棺用冷却シート６」は、図６に示すように、「冷却装置６５」と「冷却シート６３」を「循環通路６６」で連結し、「冷却シート６３」で「棺６１」中の「死体６２」を覆い冷却するという構成のものである。
【特許文献１】実公昭６３−２０８２９
【発明の開示】
【発明が解決しようとする課題】
【０００６】
特許文献１に記載の「棺用冷却シート」は、「冷却シート６３」の断面構成は開示されているものの、該「冷却シート６３」が「死体６２」をどのように掩覆しているのかという細部の構成が開示されていない。そもそも、棺中の遺体において、その腐敗の最も速やかに進行するのが内蔵部分であるので、冷却は遺体全体に及ぼす必要はなく、喉部から下の内蔵部分を間隙なく完全に掩覆すればそれで事足りるものである。特許文献１に記載の「棺用冷却シート」は、図面では「死体６２」の内蔵部分を中心に掩覆しているようにみえるが、明細書の本文中の記述では掩覆する部位は特定されておらず、「内蔵部分を掩覆する」という意味の記述は全く見られない。
【０００７】
また、特許文献１に記載の「棺用冷却シート」の「冷却シート６３」は、図面では「死体６２」を巻くように掩覆しているが、「冷却シート６３」と「死体６２」の間には間隙があるように見受けられる。実際に、複雑な形状の「死体６２」をシート状の部材で巻いた場合、必ず間隙が生じ、該間隙より空気が漏洩するという現象が必然的に惹起されることは論を俟たないところである。したがって、「冷却シート６３」と「死体６２」の間からは冷気が漏洩することとなり、「冷却シート６３」の中心部分はまだしも、「冷却シート６３」の周辺部分における「死体６２」は徐々にではあるが腐敗の進行から免れない結果となる。そして、少しでも腐敗が進行すればその部分から立ち昇る腐臭は上記間隙を抜けて棺内に満ち、やがて棺の外部にも漏洩する結果とならざるを得ない。
【０００８】
従って、絶対確実に腐敗の進行を防止するためには、遺体の内蔵部分を完全に、間隙なく掩覆する冷却手段が必要となる。しかも、出棺の折には近親者との最後の別れのために棺の蓋を開けなければならないから、その時点においては上記冷却手段は除去しておく必要が出てくる。したがって、上記冷却手段においては、遺体の内蔵部分を完全に、間隙なく掩覆すると同時に簡単に除去でき、除去後は通常の棺の状態と全く変わりのない状態に復元できるということが絶対条件となる。したがって、本発明の遺体用内蔵冷却装置の開発にあたっては、上記条件を充分に満たすことをその課題として設定した。
【課題を解決するための手段】
【０００９】
本発明は、上記課題を解決するために、下記の解決手段を提供する。
＜解決手段＞
棺中の人の遺体を冷却する冷却板と、該冷却板に冷媒を往還させるための冷媒送出用管及び冷媒回収用管と、該冷媒送出用管及び該冷媒回収用管に接続された冷却機とから構成される遺体用冷却装置において、
上記冷却板が、本体が冷媒を往還させる冷却管を内蔵し、該本体が人体の形状に合わせて湾曲され、該本体が棺中の人の遺体の胸部から腹部までを掩覆し、該本体の上面が保温材で被覆されており、かつ該本体の周囲には人の遺体の喉部、脇腹、性器部分を含む下腹部に密着するように軟質材からなる膜体が連設されていて、上記本体と上記膜体により人の遺体の喉部から下の内臓部分をすべて掩覆できるように構成されており、
上記冷却板の冷却管に接続された冷媒送出用管が、人の遺体を収容する棺の本体と蓋部の間に着脱自在に設けられた枠体に穿設された孔に挿通されていて、該孔の両側に弁を有し、どちらか一方の弁あるいは両方の弁に着脱自在に構成されており、
上記冷却板の冷却管に接続された冷媒回収用管が、上記枠体に穿設された孔に挿通されていて、該孔の両側に弁を有し、どちらか一方の弁あるいは両方の弁に着脱自在に構成されており、
上記冷媒送出用管及び上記冷媒回収用管が接続される冷却機が、温度調節機構を有している、
ことを特徴とする遺体用内蔵冷却装置。
【００１０】
すなわち、上記解決手段においては、まず、遺体の内蔵部分を完全に、間隙なく掩覆する冷却手段として、冷媒を往還させる冷却管を内蔵した冷却板の本体を人体の形状に合わせて湾曲させ、該本体の周囲にゴムあるいは軟質樹脂等の軟質材からなる膜体を連設して、遺体の喉部、胸部、腹部から下腹部（性器を含む）に至るまでを間隙なく掩覆できるようにした。すなわち冷却管を内蔵した冷却板の本体は胸部と腹部を中心に掩覆するものの、周囲に連設された上記膜体が軟質材からなるため、該膜体が複雑な形状の人体に密着し、遺体の喉部、胸部、腹部から下腹部（性器を含む）に至るまでの内蔵部分を完全に掩覆して間隙をつくらないので、上記冷却板から放散される冷気が漏洩せず、したがって、遺体の内蔵部分の腐敗が進行する懸念が全くないものである。またさらに、上記冷却板の本体の遺体に接していない上面側はポリウレタンあるいは発砲スチロール等の保温材にて被覆されているため、冷却板の本体からの冷気は全て遺体側に放散されることとなり、非常に冷却効率が良いものである。なお、上記冷却板は、遺体が裸体であっても着衣であっても用いることができるものである。
【００１１】
また、上記解決手段においては、上記冷却板は遺体の喉部、胸部、腹部から下腹部（性器部分を含む）に至るまでの内蔵部分を掩覆しているだけで遺体に巻き付けられているわけではないので、出棺の際には遺体から簡単に取り外すことが可能である。さらに、棺の本体と蓋部の間に着脱自在の枠体を設けて、冷媒送出用管と冷媒回収用管を、該枠体に穿設された孔に挿通するようにしたので、出棺の際には該枠体を取り外すだけで棺の状態は完全に通常の棺の状態に簡単に復元されるものである。また、冷媒送出用管と冷媒回収用管の双方において、上記枠体の孔の両側に弁を設けてあるので、本発明の遺体用内蔵冷却装置を除去する際には弁をすべて閉じることにより空気中に喪失される冷媒量も最小限に抑制し得る。また、冷媒送出用管も冷媒回収用管も上記枠体の孔の片側の弁あるいは両側の弁に着脱自在となっているので、装置全体が冷却板側と冷却機側に簡単に分解でき、装置全体の除去および片付けに非常に便利である。
【発明の効果】
【００１２】
本発明の遺体用内蔵冷却装置は、冷媒を往還させる冷却管を内蔵した冷却板の本体を人体の形状に合わせて湾曲させ、該本体の周囲にゴムあるいは軟質樹脂等の軟質材からなる膜体を連設して、遺体の喉部、胸部、腹部から下腹部（性器を含む）に至るまでを間隙なく掩覆できるようにしたので、該膜体が複雑な形状の人体に密着し、遺体の喉部、胸部、腹部から下腹部（性器を含む）に至るまでの内蔵部分を完全に掩覆して間隙が生じず、上記冷却板から放散される冷気が漏洩することがなく、したがって、遺体の内蔵部分の腐敗が進行する懸念が全くなく、故に遺体の他の部分の腐敗の進行も見られないものである。
【００１３】
本発明の遺体用内蔵冷却装置は、上記冷却板の本体の遺体に接していない上面側はポリウレタンあるいは発砲スチロール等の保温材にて被覆されているため、冷却板の本体からの冷気は全て遺体側に放散されることとなり、非常に冷却効率が良いものである。
【００１４】
本発明の遺体用内蔵冷却装置は、上記冷却板が遺体の喉部、胸部、腹部から下腹部（性器部分を含む）に至るまでの内蔵部分を掩覆しているだけで遺体に巻き付けられているわけではないので、出棺の際には遺体から簡単に取り外すことが可能である。したがって、余分な手間や時間を要せず、葬儀の式次第の進行に遅延等の影響を与えることがない。
【００１５】
本発明の遺体用内蔵冷却装置は、棺の本体と蓋部の間に着脱自在の枠体を設けて、冷媒送出用管と冷媒回収用管を、該枠体に穿設された孔に挿通するようにしたので、棺の構造を改変する必要は全くなく、出棺の際には該枠体を取り外すだけで棺の状態は完全に通常の棺の状態に簡単に復元されるものである。また、該枠体を取り替えるだけで様々なサイズの棺に適用し得るものである。
【００１６】
本発明の遺体用内蔵冷却装置は、冷媒送出用管と冷媒回収用管の双方において、上記枠体の孔の両側に弁を設けてあるので、本発明の遺体用内蔵冷却装置を除去する際には弁をすべて閉じることにより空気中に喪失される冷媒量も最小限に抑制し得る。
【００１７】
本発明の遺体用内蔵冷却装置は、冷媒送出用管も冷媒回収用管も上記枠体の孔の片側あるいは両側の弁に着脱自在となっているので、装置全体が冷却板側と冷却機側に簡単に分解でき、装置全体の除去及び収納に非常に便利である。特に、冷媒送出用管及び冷媒回収用管を、上記枠体の孔の両側の弁に着脱自在とした場合には、装置全体が冷却板と枠体と冷却機に簡単に分解できるので取り扱いに頗る便利である。
【発明を実施するための最良の形態】
【００１８】
本発明を実施するための最良の形態を、以下に図面を参照しながら詳細に説明する。
【実施例１】
【００１９】
＜実施例１の構成＞
本発明の実施例１の遺体用内蔵冷却装置Ｍは、図１、図２ａに示すように、棺Ｃ中の人の遺体Ｓを冷却する冷却板１と、該冷却板１に冷媒を往還させるための冷媒送出用管３及び冷媒回収用管４と、該冷媒送出用管３及び冷媒回収用管４に接続された冷却機２、さらに、人の遺体Ｓを収容する棺Ｃの本体Ｃ１と蓋部Ｃ２の間に着脱自在に設けられた枠体５とから構成される。
【００２０】
冷却板１は、図３ａ（平面図）、図３ｂ（背面図）、図４（図３ａのＢ−Ｂ拡大断面図）に示すように、蛇行せる冷却管１３を内蔵した本体１１と本体１１の周囲に連設された軟質材からなる膜体１２より構成される。本体１１は図３ｂあるいは図４に示すように、平面形状が角を丸くした長方形状で、図３ｂ及び図４に見るように遺体Ｓの胸部から腹部にかけての形状に沿うように湾曲されており、遺体Ｓの胸部から腹部にかけての部分を掩覆するように構成されている。本体１１の内部構造は、図４の拡大断面図に見るように、２枚の金属板１１ａ、１１ｂの間に蛇行せる冷却管１３が内蔵されており、金属板１１ａの上面を保温材１１ｃが被覆している。金属板１１ａ、１１ｂの材質は、鉄、ステンレススティール、銅、アルミニウム、その他の合金類等が考えられるが、いずれにしても、熱伝導率の良い素材が適している。また、冷却管１３の材質は、銅やアルミニウム等の熱伝導率が良く腐食に強いものが好ましい。さらに、保温材１１ｃとしては、ポリウレタンや発砲スチロール等、保温性に優れ、しかも軽い素材を用いることができる。
【００２１】
本体１１の周囲には、図３ａに示すように軟質材からなる膜体１２が連設されている。膜体１２は、図４に見るように、本体１１の金属板１１ａ、１１ｂの接合部分αの外側に接着されており、かつ保温材１１ｃの周端部の下面にも接着されている。従って、膜体１２は本体１１と一体として、遺体Ｓを間隙なく掩覆するように構成されている。また、膜体１２は、本体１１が掩覆し切れない遺体Ｓの内蔵部分を完全に掩覆するように構成されているのであり、図３ａに見るように、膜体１２の背面側の部分１２ａは遺体Ｓの胴体Ｓ１の胸部上部から喉部を掩覆し、膜体１２の左側面側の部分１２ｂは遺体Ｓの胴体Ｓ１と右腕Ｓ２の間に挿入されて胴体Ｓ１の左側面（遺体Ｓから見ると右側面）を掩覆し、膜体１２の右側面側の部分１２ｃは遺体Ｓの胴体Ｓ１と左腕Ｓ３の間に挿入されて胴体Ｓ１の右側面（遺体Ｓから見ると左側面）を掩覆し、膜体１２の正面側の部分１２ｄは遺体Ｓの胴体Ｓ１の性器部分を含む下腹部を掩覆する。このようにして、遺体Ｓの頭部Ｓ４を除く全ての内蔵部分は、本体１１と膜体１２により完全に掩覆されるものである。
【００２２】
また、この際、膜体１２は軟質材からなっているので、遺体Ｓの各部分に密着し、間隙を生ぜず、ために本体１１の下面から放散される冷気が漏洩することがなく効率的に遺体Ｓの頭部Ｓ４を除く全ての内蔵部分を冷却し得るものである。なお、膜体１２の素材としては、ゴムあるいは軟質樹脂等が考えられるが、いずれにしても、低温でも柔軟性がさほど劣化しない素材、例えばスタッドレスタイヤに用いられるようなゴム等が好ましいといえる。
【００２３】
図３ａに見るように、冷却板１の本体１１の正面中央の冷却管１３の始端１３ａには冷媒送出用管３が連結され、冷却管１３の終端１３ｂには冷媒回収用管４が連結されている。従って、本体１１内での冷媒の流れは図３ａの本体１１内に記された矢印のとおりである。なお、冷却管１３の始端１３ａと冷媒送出用管３を着脱自在に、及び冷却管１３の終端１３ｂと冷媒回収用管４を着脱自在に構成することもむろん可能であり、このように構成すれば実施例１の遺体用内蔵冷却装置Ｍ（図１参照）を遺体Ｓから除去するときも、未使用時に遺体用内蔵冷却装置Ｍを収納しておくときも便利である。但し、このように構成した場合には、冷媒の漏洩を防止するための防止手段（弁等）を始端１３ａと冷媒送出用管３の連結部分に、及び終端１３ｂと冷媒回収用管４の連結部分に夫々付加することが望ましい。
【００２４】
図１及び図２ｂに示すように、棺Ｃ（これは通常の棺である）の本体Ｃ１と蓋部Ｃ２の中間には、本体Ｃ１と平面形状及び平面の寸法が同一の枠体５が挿入される。枠体５の本体５１の高さは本体Ｃ１の高さの３％〜２０％程度であり、図５に見るように冷媒送出用管３を挿通する孔５３及び冷媒回収用管４を挿通する孔５４を穿設でき、しかも枠体５を装着した場合の外見が、通常の棺と較べてあまり違和感を生じない高さが好ましい。枠体５の下端部には図１、図２ｂ、図５に示すように内側に曲折された段部５２が形成されていて、段部５２が棺Ｃの本体Ｃ１の上端部に嵌合係止されることにより、枠体５は本体Ｃ１の上部に安定的に載置されるものである。また、棺Ｃの蓋部Ｃ２は図１、図２ｂに見るように、枠体５の上端部に載置されるものである。
【００２５】
枠体５の左側面には、図５に見るように孔５３及び孔５４が穿設されており、孔５３に冷媒送出用管３が、孔５４に冷媒回収用管４が夫々挿通されており、冷媒送出用管３の孔５３の右側には弁３１が、冷媒送出用管３の孔５３の左側には弁３２が、冷媒回収用管４の孔５４の右側には弁４１が、冷媒回収用管４の孔５４の左側には弁４２が、夫々設けられていて、弁３１、３２、４１、４２は夫々冷媒の流れをハンドル３１ａ、３２ａ、４１ａ、４２ａを手動で操作することにより停止／流通させる機能を有している。また、冷媒送出用管３は弁３１、弁３２に着脱自在に、冷媒回収用管４は弁４１、弁４２に着脱自在に、夫々連結されているものである。
【００２６】
冷媒送出用管３及び冷媒回収用管４は、図１、図２ａに見るように冷却機２に接続されている。冷却機２は本体２１内部に有する図示しないコンプレッサーにより冷媒を圧縮冷却する通常の冷却機（公知技術の冷却機）で、少なくとも起動釦２２と停止釦２３、及び図示しない温度制御機構に連結された温度調節用ツマミ２４を備えている。なお、２５は電源コードである。
【００２７】
＜実施例１の作用＞
以下に、実施例１の作用を、図面を参照しながら詳細に説明する。図１に見るように、棺Ｃの中に安置された遺体Ｓに、遺体Ｓの内蔵部分を掩覆するように、実施例１の遺体用内蔵冷却装置Ｍの冷却板１を装着する。この際、図３ａに見るように、冷却板１の本体１１を遺体Ｓの胴体Ｓ１の胸部から腹部を掩覆するように載置し、膜体１２の背面側の部分１２ａが遺体Ｓの胴体Ｓ１上部から喉部に密着するように装着し、膜体１２の左側面側の部分１２ｂを遺体Ｓの右腕Ｓ２と胴体Ｓ１の左側面（遺体Ｓからみれば右側面）の間に挿入し遺体Ｓの胴体Ｓ１の左側面（遺体Ｓからみれば右側面）に密着するように装着し、膜体１２の右側面側の部分１２ｃを遺体Ｓの左腕Ｓ３と胴体Ｓ１の右側面（遺体Ｓからみれば左側面）の間に挿入し遺体Ｓの胴体Ｓ１の右側面（遺体Ｓからみれば左側面）に密着するように装着し、膜体１２の正面側の部分１２ｄが遺体Ｓの胴体Ｓ１の性器部分を含む下腹部に密着するように装着する。このとき、遺体Ｓは着衣でも裸体でもかまわない。
【００２８】
次に、図５に示すように棺Ｃの本体Ｃ１の上端に枠体５を載置し、図５に示すような状態に冷媒送出用管３、弁３１、弁３２、冷媒回収用管４、弁４１、弁４２を組み立て構成する。すなわち、冷媒送出用管３が枠体５の孔５３に挿通され、孔５３の右側に弁３１が、孔５３の左側に弁３２が装着され、冷媒回収用管４が枠体５の孔５４に挿通され、孔５４の右側に弁４１が、孔５４の左側に弁４２が装着された状態に組み立て構成する。このときには、弁３１、３２、４１、４２は全て閉じた状態である。なお、この状態で、冷媒送出用管３及び冷媒回収用管４は図１、図２ａに示す冷却機２に連結されている。
【００２９】
次に、棺Ｃの蓋部Ｃ２を枠体５の上面に載置すると全体は図２ａに示すような状態となるので、この状態で、弁３１、３２、４１、４２を全て開き、冷却機２の起動釦２２を押すと冷却機２が運転を開始し、冷却された冷媒が冷媒送出用管３を通じて遺体Ｓに装着された冷却板１の本体１１内部の冷却管１３内に送出される。この際、冷媒の流れは図３ａに示す矢印のとおりであり、冷媒の流れにより冷却板１の本体１１は冷却される。この際、図４に見るように本体１１はその上面を保温材１１ｃで被覆されているので、冷気は本体１１の下面側に放散され、遺体Ｓを冷却する。またこの際、図１、図３ａに示すように、冷却板１の本体１１が遺体Ｓの胴部Ｓ１の内蔵部分の主要部のある胸部と腹部を掩覆し、さらに本体１１の周囲に連設されている膜体１２が遺体Ｓの内蔵部分の周辺まで間隙なく密着して掩覆しているので、遺体Ｓの内蔵部分の全体が完全に冷却されることになり、腐敗の進行が完全に防止されるものである。なお、遺体Ｓの内蔵部分から放散される熱を奪い温められた冷媒は、冷媒回収用管４を通じて冷却機２に還流され、再び圧縮冷却されて冷媒送出用管３から冷却板１の本体１１の冷却管１３に送出される。
【００３０】
遺体Ｓの状態や季節、あるいは通夜から葬儀までの時間経過により遺体Ｓの必要とする冷却温度は変化するので、これら諸条件に合わせて冷却機２の冷却能力を温度調節ツマミ２４により制御する。このようにして葬儀が終了し、出棺となったところで、実施例１の遺体用内蔵冷却装置Ｍを遺体Ｓから除去する。この場合、まず冷却機２の停止釦２３を押して冷却機２の運転を停止させ、次に弁３１、３２、４１、４２を全て閉じて冷媒送出管３を弁３１、３２から、冷媒回収管４を弁４１、４２から取り外す。そして、遺体Ｓから冷却板１を取り外し、さらに枠体５を撤去して、遺体Ｓと棺Ｃを通常の状態に戻す。実施例１の遺体用内蔵冷却装置Ｍは冷却板１、冷媒送出管３、冷媒回収管４、枠体５、冷却機２が夫々分解可能であるので、撤去作業には余り時間と手間を要しない。このようにして、遺体Ｓと棺Ｃから実施例１の遺体用内蔵冷却装置Ｍを完全に撤去すれば、あとは、通常どおり会葬者との最後の別れと出棺のプロセスとなる。
【００３１】
以上、実施例１の遺体用内蔵冷却装置Ｍの作用を詳述した。なお、実施例１の遺体用内蔵冷却装置Ｍの冷却板１は、遺体Ｓの体格や性別に応じて複数の規格のものを用意しておけば、どのような遺体Ｓにもより密着度が高く、良好な効果を得られるものである。なお、使用済みの遺体用内蔵冷却装置Ｍは分解され、各部が念入りに消毒されて収納され、次回にまた組み立てて再使用されるものである。
【図面の簡単な説明】
【００３２】
【図１】本発明の実施例１の遺体用内蔵冷却装置Ｍの使用状態を示す説明図（一部を欠截しかつ省略した外観斜視図）である。
【図２】（ａ）本発明の実施例１の遺体用内蔵冷却装置Ｍの使用状態を示す一部を省略した平面図である。（ｂ）図２ａのＡ−Ａ拡大断面図である。
【図３】（ａ）本発明の実施例１の遺体用内蔵冷却装置Ｍの冷却板１の平面図である。（ｂ）本発明の実施例１の遺体用内蔵冷却装置Ｍの冷却板１の背面図である。
【図４】図３ａのＢ−Ｂ拡大断面図である。
【図５】本発明の実施例１の遺体用内蔵冷却装置Ｍの枠体５と冷媒送出用管３及び冷媒回収用管４の組付構成を示す説明図である。
【図６】前記特許文献１（実開昭６３−２０８２０）に記載の棺用冷却シートの実施例の概略全体図である。
【符号の説明】
【００３３】
１      冷却板
１１    本体
１１ａ  金属板
１１ｂ  金属板
１１ｃ  保温材
１２    膜体
１２ａ  部分
１２ｂ  部分
１２ｃ  部分
１２ｄ  部分
１３    冷却管
１３ａ  始端
１３ｂ  終端
２      冷却機
２１    本体
２２    起動釦
２３    停止釦
２４    温度調節ツマミ
２５    電源コード
３      冷媒送出用管
３１    弁
３１ａ  ハンドル
３２    弁
３２ａ  ハンドル
４      冷媒回収用管
４１    弁
４１ａ  ハンドル
４２    弁
４２ａ  ハンドル
５      枠体
５１    本体
５２    段部
５３    孔
５４    孔
６      棺用冷却シート
６１    棺
６２    死体
６３    冷却シート
（６４）欠番
６５    冷却装置
６６    循環通路
Ｃ      棺
Ｃ１    本体
Ｃ２    蓋部
Ｍ      遺体用内蔵冷却装置
Ｓ      遺体
Ｓ１    胴体
Ｓ２    右腕
Ｓ３    左腕
Ｓ４    頭部
α      接合部分
【図１】
2005177390.tif 000003
【図２】
2005177390.tif 000004
【図３】
2005177390.tif 000005
【図４】
2005177390.tif 000006
【図５】
2005177390.tif 000007
【図６】
2005177390.tif 000008